(57)【特許請求の範囲】
【請求項１】
吹出口を備えた化粧パネルと、前記吹出口に回動自在に設けられた風向変更板と、を備えた空気調和装置において、
前記風向変更板は、風向変更板本体と、前記風向変更板本体の両側に突設された回動軸と、前記風向変更板本体の中央部に設けられ、第１つば部を有する支持部、前記支持部に一端側が支持される円筒状の係合部および前記係合部の他端側に設けられた第２つば部を有する第１規制部材と、を備え、
前記化粧パネルは、前記回動軸をフリーの状態で下方から支持する軸受けと、前記第１のつば部および前記第２のつば部の間に挟まれ、その側壁が当接することにより、前記風向変更板の前記回動軸方向への移動を規制するとともに、前記係合部と回動可能に係合する第２の係合部と、前記第２の係合部を支持する支持部とを有する第２規制部材と、を備えた、
ことを特徴とする空気調和機。
【請求項２】
請求項１記載の空気調和機において、
前記回動軸は、前記軸方向に所定の遊びを有し、前記軸方向に所定距離移動させることにより前記軸受けに対する係合が解除されるようにされていることを特徴とする空気調和機。
【発明の詳細な説明】
【技術分野】
【０００１】
本発明は、天井に設置されるユニット本体を有する天井埋込型の空気調和機に係り、特に、空調用風の風向を変更するための風向変更板の取付構造に関する。
【背景技術】
【０００２】
従来、この種の空気調和機において、風向変更板を回動可能に取り付ける構造としては、送風機から送風された風を導く風路の吹出口近傍に固定され、風路を形成するとともに、複数の板状部品を回動して本体から吹き出される風の方向を変更可能な風向変更装置と、風向変更装置の複数の板状部品を風路から脱着させる風向変更装置脱着機構と、を備えるものが知られている（例えば、特許文献１参照）
【特許文献１】特開２０００−２２０８６３号公報
【発明の開示】
【発明が解決しようとする課題】
【０００３】
上記従来の空気調和機では、風向変更装置の取付構造が複雑であるため、ユーザが自分で風向変更装置を取り外して掃除を行いたい場合でも、手間がかかってしまうという問題点があった。
また、仮に取り外せたとしても、風向変更装置を不完全な状態で取り付ける可能性があり、風向変更装置が脱落して破損したりする可能性もあった。
そこで本発明の目的は、風向変更板の着脱を容易とするとともに、装着時のがたを防止し、確実に風向変更板を保持することが可能な空気調和機を提供することにある。
【課題を解決するための手段】
【０００４】
上記課題を解決するため、吹出口を備えた化粧パネルと、前記吹出口に回動自在に設けられた風向変更板と、を備えた空気調和装置において、前記風向変更板は、風向変更板本体と、前記風向変更板本体の両側に突設された回動軸と、前記風向変更板本体の中央部に設けられ、第１つば部を有する支持部、前記支持部に一端側が支持される円筒状の係合部および前記係合部の他端側に設けられた第２つば部を有する第１規制部材と、を備え、前記化粧パネルは、前記回動軸をフリーの状態で下方から支持する軸受けと、前記第１のつば部および前記第２のつば部の間に挟まれ、その側壁が当接することにより、前記風向変更板の前記回動軸方向への移動を規制するとともに、前記係合部と回動可能に係合する第２の係合部と、前記第２の係合部を支持する支持部とを有する第２規制部材と、を備えた、ことを特徴としている。
上記構成によれば、風向変更板の装着状態では、第１規制部材と第２規制部材とは、協働して風向変更板の回動軸の軸方向に沿った移動を規制するので、容易に外れることはない。一方、風向変更板の脱着時には、第１規制部材と第２規制部材との協働状態を解除することにより、風向変更板の回動軸の軸方向に沿った移動を可能として、容易に脱着が可能となる。
【０００５】
この場合において、前記回動軸は、前記軸方向に所定の遊びを有し、前記軸方向に所定距離移動させることにより前記軸受けに対する係合が解除されるようにされているようにしてもよい。
【発明の効果】
【０００７】
本発明によれば、一般ユーザであっても風向変更板の着脱が容易となる。
【発明を実施するための最良の形態】
【０００８】
次に図面を参照して本発明の好適な実施の形態について詳細に説明する。
図１は、天井埋込型空気調和機のセンターパネル下降時の斜視図である。
図１において、天井埋込型空気調和機１は、天井内部に収納される板金製のユニット本体２と、中央に吸込口３を外周部の二辺に吹出口４を有し、天井穴５を塞ぐように天井面６に設けられる化粧パネル７と、センターパネル８と、を備えている。
天井埋込型空気調和機１は、さらに送風機１１を備え、この送風機１１は、シロッコファン１２Ａ、１２Ｂと、天板取り付けられ、シロッコファン１２Ａ、１２Ｂを駆動するファン用モータ１３を備えている。
【０００９】
吹出口４には、風向を変更すべく回動自在に取り付けられたフラップ（風向変更板）１４が回動可能に設けられている。
センターパネル８は、４本の吊紐３１〜３４を介して化粧パネル７に支持され、吊紐を繰り出し、或いは巻き戻すことにより、所定の範囲で昇降し、吸込グリル８を下げた位置で、このセンターパネル８に載置された図示しないフィルタを取り外し可能に構成されている。さらにセンターパネル８が化粧パネル７に取り付けられた状態では、センターパネル８の周縁部に吸込口３を構成する隙間が形成される。
【００１０】
４本の吊紐３１〜３４を繰り出し、或いは巻き戻す昇降機構は、単一の筐体４１内に収納されている。
図２は、フラップ取付前の化粧パネル裏面側の斜視図である。
フラップ１４は、樹脂で形成されており、フラップ本体１４Ａと、フラップ１４Ａの両側に突設された回動軸１４Ｂ、１４Ｂと、フラップ本体１４Ａの中央部に設けられた第１規制部材１４Ｃと、を備えている。
【００１１】
図３は、第１規制部材の拡大斜視図である。
第１規制部材１４Ｃは、フラップ本体１４に立設され、第１つば部６１を有する支持部６２と、支持部６２に一端側が支持されるとともに、回動軸１４Ｂの軸方向に延在する円筒状の係合部６３と、係合部６３の他端側に設けられた半円形状の第２つば部６４と、を備えている。
【００１２】
この場合において、第１規制部材１４Ｃの第２つば部６４は、半円形状であるので、二つの割型を用いれば、矢印ｄ１方向および矢印ｄ２方向に各型を抜くことが可能となり、第１規制部材１４Ｃを一体成型することが可能となっている。
化粧パネル７に設けられた吹出口４の長手方向の端部には、フラップ１４を回動可能に保持するための軸受け５１、５２が設けられている。さらに化粧パネル７の吹出口４の中央部分を横切るようにフラップ１４の第１規制部材１４Ｃと協働してフラップ１４の回動軸１４Ｂの軸方向に沿った移動を規制する第２規制部材５３が設けられている。
【００１３】
図４は、第２規制部材の拡大斜視図である。
第２規制部材５３は、第２規制部材本体７１と、第２規制部材本体７１から斜め下方に突設された支持部７２と、第１規制部材１４Ｃの係合部６３に第１規制部材１４Ｃを回動自在に支持すべく係合される断面Ｕ字状の係合部７３と、係合部７３の側壁を形成し、第１規制部材１４Ｃの第１つば部６１あるいは第２つば部６２が当接することにより、フラップ１４の回動軸１４Ｂの軸方向への移動を規制する二つの当接面７４（一方は図示せず）を備えている。
【００１４】
図５は、フラップ取付状態の化粧パネル裏面側の部分斜視図である。
図５に示すように、フラップ１４の一方の回動軸１４Ｂが軸受け５１に回動可能に支持されている。またフラップ１４の他方の回動軸１４Ｂが軸受け５２に回動可能に支持されている。
この状態において、第１規制部材１４Ｃの係合部６３は、第２規制部材５３の係合部７３に回動自在に支持されている。
【００１５】
図６は、フラップ取付状態の化粧パネル裏面側の部分拡大斜視図である。
図６に示すように、第２規制部材５３の係合部７３は、一方の当接面７４が第１規制部材１４Ｃの第１つば部６１に対向し、他方の当接面７４が第１規制部材１４Ｃの第２つば部６２に対向するとともに、第１規制部材１４Ｃの係合部６３を回動自在に支持している。
この結果、フラップ１４は、回動軸１４Ｂの軸方向（図６中、矢印Ｄで示す）への移動が規制される。
【００１６】
ここで、フラップ１４を化粧パネル７に取り付ける方法について図５、図７および図８を参照して説明する。図７は、一方の軸受けの部分拡大斜視図である。図８は、他方の軸受けの部分拡大斜視図である。
フラップ１４を化粧パネル７に取り付ける際には、図７に示すように、いずれか一方の回動軸１４Ｂを一方の軸受け５１に斜め上方に差し込み、さらに回動軸１４Ｂの第１の軸方向（矢印Ｄ１方向）に摺動させつつ、移動させる。その後、いずれか他方の回動軸１４Ｂを斜め上方に持ち上げ、略水平状態にする。この結果、軸受け５１側の回動軸１４Ｂは、軸受け５１の受け面に当接させられることとなる。
【００１７】
そして、第１規制部材１４Ｃの係合部６３を第２規制部材５３の係合部７３に嵌め込みながら、図８に示すように、フラップ１４を回動軸１４Ｂの第２の軸方向（矢印Ｄ２方向）にずらす。これにより、軸受け５２側の回動軸１４Ｂは軸受け５２の受け面に当接させられることとなる。
このような構成とすることにより、特に、軸受け５１および軸受け５２に対しては、回動軸１４Ｂは、フリーな状態で取り付け、第１規制部材１４Ｃおよび第２規制部材５３が協働して、その移動を規制しているだけであるので、ビス留めをすることなく、化粧パネル７へのフラップ１４の取り付けを容易とすることができるとともに、取り外しも容易となる。
【００１８】
以上の説明においては、本発明の一実施形態について説明したが、本発明はこれに限定されるものではない。
以上の説明においては、２方向カセット型の空気調和機の場合について説明したが、１方向カセット型あるいは４方向カセット型の空気調和機についても適用が可能である。
以上の説明においては、フラップ１４と第１規制部材１４Ｃとを一体に形成していたが、別体であっても、同様に適用が可能である。
【図面の簡単な説明】
【００１９】
【図１】天井埋込型空気調和機のセンターパネル下降時の斜視図である。
【図２】フラップ取付前の化粧パネル裏面側の斜視図である。
【図３】第１規制部材の拡大斜視図である。
【図４】第２規制部材の拡大斜視図である。
【図５】フラップ取付状態の化粧パネル裏面側の部分斜視図である。
【図６】フラップ取付状態の化粧パネル裏面側の部分拡大斜視図である。
【図７】一方の軸受けの部分拡大斜視図である。
【図８】他方の軸受けの部分拡大斜視図である。
【符号の説明】
【００２０】
１  天井埋込型空気調和機
７  化粧パネル
８  センターパネル
１４  フラップ（風向変更板）
１４Ａ  フラップ本体（風向変更板本体）
１４Ｂ  回動軸
１４Ｃ  第１規制部材
３１〜３４  吊紐
５１、５２  軸受け
５３  第２規制部材
６１  第１つば部
６２  第２つば部
７１  第２規制部材本体
７２  支持部
７３  係合部（第２の係合部）
７４  当接面（側壁）
【図１】
0004739886.tif 000002
【図２】
0004739886.tif 000003
【図３】
0004739886.tif 000004
【図４】
0004739886.tif 000005
【図５】
0004739886.tif 000006
【図６】
0004739886.tif 000007
【図７】
0004739886.tif 000008
【図８】
0004739886.tif 000009